(57)【要約】【課題】在庫管理の簡略化が可能となり、安価な電磁流量計を提供する。【解決手段】ミニフランジを有するウエハ型の電磁流量計において、前記ミニフランジの両端に設けられた配管接続部品と、前記ミニフランジと前記配管接続部品とに設けられこの配管接続部品を前記ミニフランジに固定する固定手段とを具備したことを特徴とする電磁流量計である。【選択図】        図１
2004163345.tif 000002
【特許請求の範囲】
【請求項１】
ミニフランジを有するウエハ型の電磁流量計において、
前記ミニフランジの両端に設けられた配管接続部品と、
前記ミニフランジと前記配管接続部品とに設けられこの配管接続部品を前記ミニフランジに固定する固定手段と
を具備したことを特徴とする電磁流量計。
【請求項２】
前記配管接続部品として、フランジが使用されたこと
を特徴とする請求項１記載の電磁流量計。
【請求項３】
前記配管接続手段として、サニタリー継ぎ手が使用されたこと
を特徴とする請求項１又は請求項２記載の電磁流量計。
【請求項４】
前記固定手段として、前記ミニフランジに設けられたねじ穴と、前記配管接続部品に設けられた貫通穴に挿入され前記ねじ穴にねじ合わされるボルトとが使用されたこと
を特徴とする請求項１乃至請求項３の何れかに記載の電磁流量計。
【請求項５】
前記固定手段として、前記ミニフランジの外周に設けられたおねじと、前記配管接続部品に設けられ前記おねじとねじ合わされるめねじとが使用されたこと
を特徴とする請求項１乃至請求項４の何れかに記載の電磁流量計。
【請求項６】
前記固定手段として、ウエハ型電磁流量計本体のミニフランジの外周に設けられたおねじと前記配管接続部品を前記おねじにねじ合わされる袋ナットとが使用されたこと
を特徴とする請求項１乃至請求項５の何れかに記載の電磁流量計。
【発明の詳細な説明】
【０００１】
【発明の属する技術分野】
本発明は、在庫管理の簡略化が可能となり、安価な電磁流量計に関するものである。
【０００２】
【従来の技術】
図６は、従来より一般に使用されている従来例の構成説明図で、例えば、特開２００２−４８６１２号に示されている（例えば、特許文献１参照。）。
図において、１はセラミックの測定管である。
２は、測定管１の内面に設けられた絶縁材からなるライニング体である。
【０００３】
３は、ライニング体２を測定管１に係止する係止板である。
４は励磁コイル、５は測定電極である。
６は配管に接続されるフランジである。
【０００４】
【特許文献１】
特開２００２−４８６１２号（第２頁、図１５）
【０００５】
【発明が解決しようとする課題】
しかしながら、このような装置においては、以下の間題点がある。
フランジ型電磁流量計には、フランジ接続規格が複数あり、配管接続部とウエハ型電磁流量計本体とが一体型となっているため、在庫管理の際に、複数の規格に対応して各種の配管接続構造をもったフランジ型電磁流量計を揃えなくてはならなかった。
【０００６】
本発明の目的は、上記の課題を解決するもので、在庫管理の簡略化が可能となり、安価な電磁流量計を提供することにある。
即ち、電磁流量計本体と配管接続部分とを分離可能にし、配管接続部分を取り替え可能にすることで、電磁流量計本体を共通にすることができる。
【０００７】
そのため、より多くのラインナップを揃えることが可能となり、在庫管理等も容易となり、安価な電磁流量計を提供することにある。
【０００８】
【課題を解決するための手段】
このような目的を達成するために、本発明では、請求項１記載の電磁流量計においては、
ミニフランジを有するウエハ型の電磁流量計において、
前記ミニフランジの両端に設けられた配管接続部品と、前記ミニフランジと前記配管接続部品とに設けられこの配管接続部品を前記ミニフランジに固定する固定手段とを具備したことを特徴とする。
【０００９】
本発明の請求項２においては、請求項１記載の電磁流量計において、
前記配管接続部品として、フランジが使用されたことを特徴とする。
【００１０】
本発明の請求項３においては、請求項１又は請求項２記載の電磁流量計において、
前記配管接続手段として、サニタリー継ぎ手が使用されたことを特徴とする。
【００１１】
本発明の請求項４においては、請求項１乃至請求項３の何れかに記載の電磁流量計において、
前記固定手段として、前記ミニフランジに設けられたねじ穴と、前記配管接続部品に設けられた貫通穴に挿入され前記ねじ穴にねじ合わされるボルトとが使用されたことを特徴とする。
【００１２】
本発明の請求項５においては、請求項１乃至請求項４の何れかに記載の電磁流量計において、
前記固定手段として、前記ミニフランジの外周に設けられたおねじと、前記配管接続部品に設けられ前記おねじとねじ合わされるめねじとが使用されたことを特徴とする。
【００１３】
本発明の請求項６においては、請求項１乃至請求項５の何れかに記載の電磁流量計において、
前記固定手段として、ウエハ型電磁流量計本体のミニフランジの外周に設けられたおねじと前記配管接続部品を前記おねじにねじ合わされる袋ナットとが使用されたことを特徴とする。
【００１４】
【発明の実施の形態】
以下図面を用いて本発明を詳しく説明する。
図１は本発明の一実施例の要部組立説明図、図２は図１の側面図である。
図において、図６と同一記号の構成は同一機能を表す。
以下、図６と相違部分のみ説明する。
【００１５】
１１は、ミニフランジ１２を有するウエハ型の電磁流量計本体である。
１３は、ウエハ型の電磁流量計本体１１に設けられたライニング体である。
１４は、ミニフランジ１２の両端に設けられた配管接続部品である。
【００１６】
この場合は、配管接続部品１４として、フランジが使用されている。
１５は、ミニフランジ１２と配管接続部品１４とに設けられこの配管接続部品１４をミニフランジ１２に固定する固定手段である。
【００１７】
この場合は、固定手段１５として、ミニフランジ１２に設けられたねじ穴１５１と、配管接続部品１４に設けられた貫通穴１４１に挿入され、ねじ穴１５１にねじ合わされるボルト１５２とが使用されている。
【００１８】
以上の構成において、フランジ接続規格に合致したフランジ１４を、ボルト１５２を貫通穴１４１を通して、ミニフランジ１２に設けられたねじ穴１５１にねじ合わして、フランジ１４をウエハ型の電磁流量計本体１１に取り付ける。
【００１９】
この結果、
（１）要求される配管取付け条件に応じて、ウエハ型電磁流量計本体１１はそのままで、対応する必要な配管接続部品１４を用意すれば良く、要求される種々の取付け条件に迅速に対応できると共に、多数の種々の、ウエハ型電磁流量計本体１１と配管接続部１４との一体型を在庫する必要が無く、在庫管理の簡略化が可能となり、安価な電磁流量計が得られる。
【００２０】
（２）配管接続部品１４として、フランジが使用されたので、フランジは、配管取付け条件に応じて、各配管接続規格によって、厳格に規定されているが、規格に合った種々のフランジのみを用意しておけば良く、在庫管理の簡略化が可能となり、安価な電磁流量計が得られる。
【００２１】
（３）配管接続部品１４として、フランジが使用されたので、フランジは、直接に測定流体ＦＬに接するため、アースリングが不要となり、コストダウンが図れ、安価な電磁流量計が得られる。
【００２２】
（４）固定手段１５として、ミニフランジ１２に設けられたねじ穴１５１と、配管接続部品１４に設けられた貫通穴１４１に挿入され、前記ねじ穴１５１にねじ合わされるボルト１５２とが使用されたので、ウエハ型電磁流量計本体１１と配管接続部品１４とが簡単に着脱でき、ウエハ型電磁流量計本体１１と配管接続部品１４との着脱が容易な電磁流量計が得られる。
【００２３】
図３は、本発明の他の実施例の要部構成説明図である。
本実施例においては、配管接続部品２１として、サニタリー継ぎ手２１が使用されている。
２２は、ウエハ型電磁流量計本体１１と配管接続部品２１との間に設けられたガスケットである。
【００２４】
この結果、配管接続手段２１として、サニタリー継ぎ手２１が使用されたので、需要の比較的少ない、サニタリー用にも容易に迅速に対応できる電磁流量計が得られる。
【００２５】
図４は、本発明の他の実施例の要部構成説明図である。
本実施例においては、固定手段３１として、ウエハ型電磁流量計本体３２のミニフランジ３３の外周に設けられたおねじ３１１と、配管接続部品３４に設けられ、前記おねじ３１１とねじ合わされるめねじ３１２とが使用されている。
この場合は、配管接続部品３４としてフランジが使用されている。
３５は、ライニング体である。
【００２６】
この結果、ミニフランジ３３の外周に強固に接続でき、ウエハ型電磁流量計本体３２と配管接続部品３４とが強固に接続できる電磁流量計が得られる。
【００２７】
図５は、本発明の他の実施例の要部構成説明図である。
本実施例においては、固定手段４１として、ウエハ型電磁流量計本体４２のミニフランジ４３の外周に設けられたおねじ４１１と、配管接続部品４４を前記おねじ４１１にねじ合わされる袋ナット４１２とが使用されている。
４５は、配管接続部品４４とウエハ型電磁流量計本体４２間に設けられたガスケットである。
４６は、ライニング体である。
【００２８】
この結果、ウエハ型電磁流量計本体４２に対して、配管接続部品４４を回転してねじ込む必要が無く、ガスケット４５を、配管接続部品４４とウエハ型電磁流量計本体４２間に容易に挟むことができるので、シール性に優れ、特に、微小な口径の配管に対しては、取り付けが容易な電磁流量計が得られる。
【００２９】
なお、前述の実施例においては、配管接続部品に付いて、たとえば、フランジ１４と説明したが、これに限ることはなく、たとえば、ホース継ぎ手であっても良いことは勿論である。
【００３０】
なお、以上の説明は、本発明の説明および例示を目的として特定の好適な実施例を示したに過ぎない。したがって本発明は、上記実施例に限定されることなく、その本質から逸脱しない範囲で更に多くの変更、変形をも含むものである。
【００３１】
【発明の効果】
以上説明したように、本発明の請求項１によれば、次のような効果がある。
ウエハ型の電磁流量計のミニフランジの両端に、配管接続部品が取り付けられるようにしたので、ウエハ型電磁流量計本体と配管接続部とが分離出来る。
【００３２】
従って、要求される配管取付け条件に応じて、ウエハ型電磁流量計本体はそのままで、対応する必要な配管接続部品を用意すれば良く、要求される種々の取付け条件に迅速に対応できると共に、多数の種々の、ウエハ型電磁流量計本体と配管接続部との一体型を在庫する必要が無く、在庫管理の簡略化が可能となり、安価な電磁流量計が得られる。
【００３３】
本発明の請求項２によれば、次のような効果がある。
（１）配管接続部品として、フランジが使用されたので、フランジは、配管取付け条件に応じて、各配管接続規格によって、厳格に規定されているが、ウエハ型電磁流量計本体と一体型でなく、フランジ接続規格に合った種々のフランジのみを用意しておけば良く、在庫管理の簡略化が可能となり、安価な電磁流量計が得られる。
【００３４】
（２）配管接続部品として、フランジが使用されたので、フランジは、直接に測定流体に接するため、アースリングが不要となり、コストダウンが図れ、安価な電磁流量計が得られる。
【００３５】
本発明の請求項３によれば、次のような効果がある。
（１）配管接続部品として、サニタリー継ぎ手が使用されたので、サニタリー継ぎ手も、配管取付け条件に応じて、各配管接続規格によって、厳格に規定されているが、ウエハ型電磁流量計本体と一体型でなく、サニタリー継ぎ手接続規格に合った種々のサニタリー継ぎ手のみを用意しておけば良く、在庫管理の簡略化が可能となり、安価な電磁流量計が得られる。
（２）配管接続手段として、サニタリー継ぎ手が使用されたので、需要の比較的少ない、サニタリー用にも容易に迅速に対応できる電磁流量計が得られる。
【００３６】
本発明の請求項４によれば、次のような効果がある。
前記固定手段として、ミニフランジに設けられたねじ穴と、配管接続部品に設けられた貫通穴に挿入され、ねじ穴にねじ合わされるボルトとが使用されたので、ウエハ型電磁流量計本体と配管接続部部品とが簡単に着脱でき、ウエハ型電磁流量計本体と配管接続部品との着脱が容易な電磁流量計が得られる。
【００３７】
本発明の請求項５によれば、次のような効果がある。
固定手段として、ミニフランジの外周に設けられたおねじと、配管接続部品に設けられ、前記おねじとねじ合わされるめねじとが使用されたので、ミニフランジの外周に強固に接続でき、ウエハ型電磁流量計本体と配管接続部品とが強固に接続できる電磁流量計が得られる。
【００３８】
本発明の請求項６によれば、次のような効果がある。
固定手段として、ウエハ型電磁流量計本体のミニフランジの外周に設けられたおねじと配管接続部品を前記おねじにねじ合わされる袋ナットとが使用された。
【００３９】
従って、ウエハ型電磁流量計本体に対して、配管接続部品を回転してねじ込む必要が無く、ガスケットを配管接続部品とウエハ型電磁流量計本体間に容易に挟むことができるので、シール性に優れ、特に、微小な口径の配管に対しては、取り付けが容易な電磁流量計が得られる。
【００４０】
従って、本発明によれば、在庫管理の簡略化が可能となり、安価な電磁流量計を実現することが出来る。
【図面の簡単な説明】
【図１】本発明の一実施例の要部構成説明図である。
【図２】図１の側面図である。
【図３】本発明の他の実施例の要部構成説明図である。
【図４】本発明の他の実施例の要部構成説明図である。
【図５】本発明の他の実施例の要部構成説明図である。
【図６】従来より一般に使用されている従来例の要部構成説明図である。
【符号の説明】
１１    ウエハ型の電磁流量計本体
１２    ミニフランジ
１３    ライニング体
１４    配管接続部品
１４１  貫通穴
１５    固定手段
１５１  ねじ穴
１５２  ボルト
２１    サニタリー継ぎ手
２２    ガスケット
３１    固定手段
３１１  おねじ
３１２  めねじ
３２    ウエハ型電磁流量計本体
３３    ミニフランジ
３４    フランジ
３５    ライニング体
４１    固定手段
４１１  おねじ
４１２  袋ナット
４２    ウエハ型の電磁流量計本体
４３    ミニフランジ
４４    配管接続部品
４５    ガスケット
４６    ライニング体
ＦＬ    測定流体
【図１】
2004163345.tif 000003
【図２】
2004163345.tif 000004
【図３】
2004163345.tif 000005
【図４】
2004163345.tif 000006
【図５】
2004163345.tif 000007
【図６】
2004163345.tif 000008